(57)【要約】【課題】インレットチューブがシリンダの吸入孔に圧入されるときに、シリンダが組立用位置決めピンの周りを回転移動して、エアギャップが全周において均一にできない。【解決手段】シリンダ本体２１は、圧縮室２２の径方向外側に配置された円形の孔５６を有している。円形の孔５６は、平面視において円形の孔５６の中心が吸入孔５０を延長した領域内に配置されている。そして、圧縮機の組立工程において、シリンダ本体２１の円形の孔５６が、組立用位置決め孔として使用される場合には、組立用位置決めピン６０がシリンダ本体２１の円形の孔５６に挿入されており、インレットチューブが吸入孔５０に圧入されるときに、シリンダ本体２１に対して組立用位置決めピン６０（円形の孔５６）に向かう方向の力が作用する。このとき、上記の力が作用する方向に、組立用位置決めピン６０があるので、この組立用位置決めピン６０によって、上記の力によってシリンダ本体２１が回転移動するのが防止される。【選択図】図５
2015086751.tif 000002
【特許請求の範囲】
【請求項１】
円筒部材の内側に配置された圧縮機構および駆動機構を備えた圧縮機であって、
前記駆動機構は、
前記円筒部材の内周面に固定されたステータと、
前記ステータの内側に配置され、駆動軸とともに回転するロータとを有し、
前記圧縮機構は、
前記駆動軸によって駆動されるローラが配置された圧縮室を有するシリンダ本体と、
前記シリンダ本体の端面に取り付けられた端面部材と、
前記圧縮室に連通するとともに前記駆動軸と交差する方向に沿った吸入孔と、
前記圧縮室の径方向外側において前記駆動軸と平行な方向に沿った円形の孔とを有しており、
平面視において前記円形の孔の少なくとも一部が前記吸入孔を延長した領域内に配置されることを特徴とする圧縮機。
【請求項２】
前記円形の孔は、機械加工または焼結で形成されたものであることを特徴とする請求項１に記載の圧縮機。
【請求項３】
前記吸入孔および前記円形の孔が、同一部材に配置されることを特徴とする請求項１または２に記載の圧縮機。
【請求項４】
平面視において前記円形の孔の中心が前記吸入孔を延長した領域内に配置されることを特徴とする請求項１−３のいずれかに記載の圧縮機。
【請求項５】
駆動軸によって駆動されるローラが配置された圧縮室の径方向外側において前記駆動軸と平行な方向に沿った円形の孔に、支持台上に固定された組立用位置決めピンを挿入して、前記圧縮室を有する圧縮機構を前記支持台上に配置する第１工程と、
前記駆動軸にロータを取り付ける第２工程と、
前記ロータの外周面に対向するようにスペーサを配置する第３工程と、
ステータが固定された円筒部材を、前記ロータの外周面と前記ステータの内周面との間に前記スペーサが配置されるように配置する第４工程と、
前記圧縮機構において前記圧縮室に連通するとともに前記駆動軸と交差する方向に沿った吸入孔に、前記円筒部材の外側からインレットチューブを圧入する第５工程とを備え、
平面視において前記円形の孔の少なくとも一部が前記吸入孔を延長した領域内に配置されることを特徴とする圧縮機の製造方法。
【発明の詳細な説明】
【技術分野】
【０００１】
本発明は、例えば空気調和機等に使用されるロータリ圧縮機等の圧縮機およびその製造方法に関する。
【背景技術】
【０００２】
圧縮機は、ケーシング内に配置された圧縮機構および駆動機構を備えるものが一般的である。そして、圧縮機構が、圧縮室を有するシリンダと、シリンダの両端面にそれぞれ配置された端面部材とを有しており、圧縮室内には、駆動軸によって駆動されるローラが配置されている。駆動機構は、ケーシングの内周面に固定されたステータと、ステータの内側に配置され、駆動軸とともに回転するロータとを有している。そして、圧縮機構は、圧縮室に連通する吸入孔を有しており、吸入孔には、冷媒を圧縮室に供給するためのインレットチューブが圧入されている。
【０００３】
上記の圧縮機を組み立てる工程では、駆動軸を有する圧縮機構が支持台上に配置される。このとき、シリンダ（圧縮機構）が組立用位置決め孔を有しており、その組立用位置決め孔に、支持台上に固定された組立用位置決めピンが挿入されて位置決めされる。その後、ロータが駆動軸に取り付けられ、ロータの外周面に対向するようにスペーサが配置される。そして、ステータが内周面に固定された円筒部材（ケーシングの一部）が、ロータの外周面とステータの内周面との間にスペーサが配置されるように、圧縮機構の外周側に配置される。そして、円筒部材の外側からインレットチューブが吸入孔に圧入された後、圧縮機構が円筒部材の内周面に溶接によって固定される。
【先行技術文献】
【特許文献】
【０００４】
【特許文献１】特開２０１０−１５０９７３
【発明の概要】
【発明が解決しようとする課題】
【０００５】
圧縮機の組立工程において、支持台上に固定された組立用位置決めピンがシリンダ（圧縮機構）の組立用位置決め孔に挿入されて位置決めされるが、図９に示すように、組立用位置決め孔が、インレットチューブの圧入方向と異なる位置に配置される場合がある。この場合において、インレットチューブがシリンダ９２１の吸入孔９５０に圧入されるときに、シリンダ９２１に対して、円形の孔９５６に挿入された組立用位置決めピン６０を中心とする回転方向の力が作用する。したがって、シリンダ９２１が組立用位置決めピン６０の周りを回転移動して、それにともなって駆動軸に取り付けられたロータも回転移動してしまう。そのため、ロータが回転した方向にスペーサが押圧されるので、その部分のエアギャップ（ロータの外周面とステータの内周面との間のエアギャップ）が狭くなる。その状態で、シリンダ９２１が円筒部材の内周面に溶接によって固定された後で、スペーサが取り外されると、エアギャップが全周において均一でないことから、圧縮機の運転音が大きくなるという問題がある。
【０００６】
そこで、本発明の目的は、エアギャップを全周において均一にできる圧縮機およびその製造方法を提供することである。
【課題を解決するための手段】
【０００７】
第１の発明にかかる圧縮機は、円筒部材の内側に配置された圧縮機構および駆動機構を備えた圧縮機であって、前記駆動機構は、前記円筒部材の内周面に固定されたステータと、前記ステータの内側に配置され、駆動軸とともに回転するロータとを有し、前記圧縮機構は、前記駆動軸によって駆動されるローラが配置された圧縮室を有するシリンダ本体と、前記シリンダ本体の端面に取り付けられた端面部材と、前記圧縮室に連通するとともに前記駆動軸と交差する方向に沿った吸入孔と、前記圧縮室の径方向外側において前記駆動軸と平行な方向に沿った円形の孔とを有しており、平面視において前記円形の孔の少なくとも一部が前記吸入孔を延長した領域内に配置されることを特徴とする。
【０００８】
第５の発明にかかる圧縮機の製造方法は、駆動軸によって駆動されるローラが配置された圧縮室の径方向外側において前記駆動軸と平行な方向に沿った円形の孔に、支持台上に固定された組立用位置決めピンを挿入して、前記圧縮室を有する圧縮機構を前記支持台上に配置する第１工程と、前記駆動軸にロータを取り付ける第２工程と、前記ロータの外周面に対向するようにスペーサを配置する第３工程と、ステータが固定された円筒部材を、前記ロータの外周面と前記ステータの内周面との間に前記スペーサが配置されるように配置する第４工程と、前記圧縮機構において前記圧縮室に連通するとともに前記駆動軸と交差する方向に沿った吸入孔に、前記円筒部材の外側からインレットチューブを圧入する第５工程とを備え、平面視において前記円形の孔の少なくとも一部が前記吸入孔を延長した領域内に配置されることを特徴とする。
【０００９】
この圧縮機およびその製造方法では、圧縮機構が円形の孔を有しており、平面視において円形の孔の少なくとも一部が吸入孔を延長した領域内に配置されているので、その円形の孔を圧縮機の組立工程において組立用位置決め孔として使用することができる。したがって、圧縮機を組み立てる工程で、円形の孔（組立用位置決め孔）に対して、支持台上に固定された組立用位置決めピンを挿入して圧縮機構が位置決めされた場合には、インレットチューブが吸入孔に圧入されるときに、圧縮機構に対して組立用位置決め孔を中心とする回転方向の力がほとんど作用しない。よって、圧縮機の組み立て時において、インレットチューブを圧入するときに、圧縮機構が組立用位置決めピンの周りを回転するのを抑制できるので、エアギャップが全周において均一にできることから、圧縮機の運転音が大きくなるのを抑制できる。
【００１０】
第２の発明にかかる圧縮機は、第１の発明にかかる圧縮機において、前記円形の孔が、機械加工または焼結で形成されたものであることを特徴とする。
【００１１】
この圧縮機では、円形の孔が機械加工または焼結で形成されているので、内径寸法にバラつきが生じにくいことから、円形の孔を圧縮機の組立工程において組立用位置決め孔として使用した場合に、圧縮機構を適正に位置決めできる。
【００１２】
第３の発明にかかる圧縮機は、第１または第２の発明にかかる圧縮機において、前記吸入孔および前記円形の孔が、同一部材に配置されることを特徴とする。
【００１３】
この圧縮機では、吸入孔および円形の孔が同一部材に配置されているので、吸入孔と円形の孔との高さの差が小さい（吸入孔と円形の孔が略同一の高さに配置される場合を含む）。したがって、圧縮機の組み立て時において、インレットチューブを圧入するときに、圧縮機構が高さ方向に傾くのを抑制できる。
【００１４】
第４の発明にかかる圧縮機は、第１−第３のいずれかの発明にかかる圧縮機において、平面視において前記円形の孔の中心が前記吸入孔を延長した領域内に配置されることを特徴とする。
【００１５】
この圧縮機では、平面視において円形の孔の中心が吸入孔を延長した領域内に配置されているので、その円形の孔を圧縮機の組立工程において組立用位置決め孔として使用した場合に、圧縮機の組み立て時において、インレットチューブを圧入するときに、圧縮機構が組立用位置決めピンの周りを回転するのを防止できるので、エアギャップが全周において均一にできることから、圧縮機の運転音が大きくなるのを効果的に防止できる。
【発明の効果】
【００１６】
以上の説明に述べたように、本発明によれば、以下の効果が得られる。
【００１７】
第１および第５の発明では、圧縮機構が円形の孔を有しており、平面視において円形の孔の少なくとも一部が吸入孔を延長した領域内に配置されているので、その円形の孔を圧縮機の組立工程において組立用位置決め孔として使用することができる。したがって、圧縮機を組み立てる工程で、円形の孔（組立用位置決め孔）に対して、支持台上に固定された組立用位置決めピンを挿入して圧縮機構が位置決めされた場合には、インレットチューブが吸入孔に圧入されるときに、圧縮機構に対して組立用位置決め孔を中心とする回転方向の力がほとんど作用しない。よって、圧縮機の組み立て時において、インレットチューブを圧入するときに、圧縮機構が組立用位置決めピンの周りを回転するのを抑制できるので、エアギャップが全周において均一にできることから、圧縮機の運転音が大きくなるのを抑制できる。
【００１８】
第２の発明では、円形の孔が機械加工または焼結で形成されているので、内径寸法にバラつきが生じにくいことから、円形の孔を圧縮機の組立工程において組立用位置決め孔として使用した場合に、圧縮機構を適正に位置決めできる。
【００１９】
第３の発明では、吸入孔および円形の孔が同一部材に配置されているので、吸入孔と円形の孔との高さの差が小さい（吸入孔と円形の孔が略同一の高さに配置される場合を含む）。したがって、圧縮機の組み立て時において、インレットチューブを圧入するときに、圧縮機構が高さ方向に傾くのを抑制できる。
【００２０】
第４の発明では、平面視において円形の孔の中心が吸入孔を延長した領域内に配置されているので、その円形の孔を圧縮機の組立工程において組立用位置決め孔として使用した場合に、圧縮機の組み立て時において、インレットチューブを圧入するときに、圧縮機構が組立用位置決めピンの周りを回転するのを防止できるので、エアギャップが全周において均一にできることから、圧縮機の運転音が大きくなるのを効果的に防止できる。
【図面の簡単な説明】
【００２１】
【図１】本発明の第１実施形態に係る圧縮機の断面図である。
【図２】図２（ａ）は、図１の圧縮機のシリンダ本体の平面図であって、図２（ｂ）は、シリンダ本体の断面図である。
【図３】図１の圧縮機の組立工程を示す図である。
【図４】図１の圧縮機の組立工程を示す図である。
【図５】本発明の圧縮機のシリンダ本体に対してインレットチューブが圧入されるときの状態を示す図である。
【図６】本発明の第２実施形態に係る圧縮機の断面図である。
【図７】図７（ａ）は、図６の圧縮機の端面部材およびシリンダ本体の平面図であって、図７（ｂ）は、端面部材およびシリンダ本体の断面図である。
【図８】図７のシリンダ本体に対してインレットチューブが圧入されるときの状態を示す図である。
【図９】従来の圧縮機のシリンダ本体に対してインレットチューブが圧入されるときの状態を示す図である。
【発明を実施するための形態】
【００２２】
以下、この発明を図示の実施の形態により詳細に説明する。
【００２３】
（第１実施形態）
図１は、この発明の圧縮機の一実施形態である断面図を示している。この圧縮機は、いわゆる高圧ドーム型のロータリ圧縮機であって、ケーシング１内に圧縮機構２を下に、モータ３を上に配置している。このモータ３のロータ６によって、駆動軸１２を介して圧縮機構２を駆動するようにしている。
【００２４】
圧縮機構２は、アキュムレータから吸入管１１を通して冷媒を吸入する。この吸入される冷媒は、圧縮機とともに、冷凍システムの一例としての空気調和機を構成する図示しない凝縮器、膨張機構、蒸発器を制御することによって得られる。吸入管１１は、ケーシング１の外周面に配置された継手管１０内において、シリンダ本体２１の吸入孔５０に圧入されたインレットチューブ５２に対してロウ付けによって固定されている。
【００２５】
圧縮機は、圧縮した高温高圧の吐出ガスを、圧縮機構２から吐出してケーシング１の内部に満たすと共に、モータ３のステータ５とロータ６との間の隙間を通して、モータ３を冷却した後、吐出管１３から外部に吐出するようにしている。ケーシング１内の高圧領域の下部に、潤滑油９を溜めている。
【００２６】
図１と図２に示すように、圧縮機構２は、シリンダ室２２を形成するシリンダ本体２１と、このシリンダ本体２１の上下端面に取り付けられて圧縮室（シリンダ室）２２に蓋をする上側の端面部材２３および下側の端面部材２４とを備える。駆動軸１２は、上側の端面部材２３および下側の端面部材２４を貫通して、圧縮室２２の内部に進入している。圧縮室２２には、駆動軸１２に設けられたクランクピン２６に嵌合したローラ２７を、公転可能に配置し、このローラ２７の公転運動で圧縮作用を行うようにしている。圧縮室２２は、ローラ２７に一体に設けたブレードで高圧領域と低圧領域を仕切るように構成されており、ブレードの両面には半円形状のブッシュが密着して、シールを行っている。したがって、シリンダ本体２１は、圧縮室２２の外側において圧縮室２２と連通した収容孔２２ａを有しており、その収容孔２２ａに、ブレードおよびブッシュが配置される。
【００２７】
シリンダ本体２１は、図２に示すように、圧縮室２２の周囲に配置された円筒部５３と、円筒部５３の外周面からケーシング１の内周面に向かって延在する支持部５４とを有している。シリンダ本体２１は、圧縮室２２に連通するとともに水平方向（駆動軸１２と交差する方向）に沿った吸入孔５０を有している。また、円筒部５３の上面は、端面部材２３が固定される部分であって、端面部材２３と略同一形状を有している。そして、シリンダ本体２１は、支持部５４において円筒部５３の外側に対応した部分に配置された円形の孔５６を有している。円形の孔５６は、圧縮室２２の径方向外側であって、かつ、端面部材２３の径方向外側において、駆動軸１２と平行な方向に沿っている。そして、円形の孔５６は、平面視において円形の孔５６の中心が吸入孔５０を延長した領域内（図２において、吸入孔５０の端部を延長した二点鎖線の間の領域）に配置されている。図２（ａ）では、平面視において円形の孔５６の中心が吸入孔５０の中心線上に配置されている。円形の孔５６は、機械加工または焼結で形成されたものである。また、図２（ｂ）に示すように、支持部５４において円形の孔５６が配置された部分は、下方に開口するように凹形状に構成されており、円形の孔５６は、支持部５４の上端部の薄肉部に配置されている。したがって、円形の孔５６および吸入孔５０は、いずれもシリンダ本体２１に配置されているが、圧縮機の高さ方向については、図２（ｂ）に示すように、円形の孔５６は、吸入孔５０より上方に配置されている。
【００２８】
圧縮機の組立工程について、図３および図４に基づいて説明する。まず、図３（ａ）に示すように、駆動軸１２を有する圧縮機構２が支持台上に配置される。このとき、シリンダ本体２１の円形の孔５６に、支持台上に固定された組立用位置決めピン６０が挿入されて、圧縮機構２が支持台上に位置決めされる。したがって、組立用位置決めピン６０は、円形の水平断面を有しており、その水平断面は円形の孔５６と略同一の大きさに構成されている。圧縮機構２は、シリンダ本体２１、端面部材２３、２４、駆動軸１２およびマフラ本体４０等の部材で構成されるが、図３および図４では、一部の部材の図示を省略する。また、モータ３を構成するステータ５には銅線が巻かれ、それにケーシング外部から通電されることにより、磁石を有するロータ６を駆動させるが、一部の部材および配線の図示を省略する。そして、図３（ｂ）に示すように、駆動軸１２に対してロータ６が取り付けられた後、図３（ｃ）に示すように、ロータ６の外周面に対向するようにスペーサ６１が配置される。このとき、スペーサ６１は、ロータ６の全周にわたって外周面に対向するように配置される。その後、図４（ａ）および図４（ｂ）に示すように、ロータ６の外周面とステータ５の内周面との間にスペーサ６１が配置されるように、ステータ５が内周面に固定された円筒部材１ａ（ケーシング１の一部）が圧縮機構２の外側に配置される。このとき、円筒部材１ａの外周面に配置された継手管１０が、シリンダ本体２１の吸入孔５０に対向している。そして、図４（ｃ）に示すように、円筒部材１ａの外側からインレットチューブ５２が吸入孔５０に圧入された後、シリンダ本体２１の外周面が円筒部材１ａの内周面に溶接によって固定される。
【００２９】
そして、圧縮機の組立工程において、シリンダ本体２１の円形の孔５６が、組立用位置決め孔として使用される。したがって、組立用位置決めピン６０がシリンダ本体２１の円形の孔５６に挿入されており、インレットチューブ５２が吸入孔５０に圧入されるときに、図５に示すように、シリンダ本体２１に対して組立用位置決めピン６０（円形の孔５６）に向かう方向の力が作用する。このとき、上記の力が作用する方向に、組立用位置決めピン６０があるので、この組立用位置決めピン６０によって、上記の力によってシリンダ本体２１（圧縮機構２）が移動する（回転移動する）のが防止される。よって、従来の圧縮機の組立工程（図９）のように、シリンダ本体９２１が組立用位置決めピン６０の周りを回転移動して、それにともなって駆動軸１２に取り付けられたロータ６も回転移動してしまうことがない。そのため、ロータ６（シリンダ本体２１）の周方向の一部の方向においてスペーサ６１が押圧されることがないので、エアギャップ（ロータ６の外周面とステータ５の内周面との間のエアギャップ）が全周において均一になる。その状態で、シリンダ本体２１が円筒部材１ａの内周面に溶接によって固定された後で、スペーサ６１が取り外されたとしても、エアギャップが全周において均一の状態である。
【００３０】
＜本実施形態の圧縮機の特徴＞
本実施形態の圧縮機およびその製造方法では、圧縮機構２が円形の孔５６を有しており、平面視において円形の孔５６の中心が吸入孔５０を延長した領域内に配置されているので、その円形の孔５６を圧縮機の組立工程において組立用位置決め孔として使用することができる。したがって、圧縮機を組み立てる工程で、円形の孔５６（組立用位置決め孔）に対して、支持台上に固定された組立用位置決めピン６０を挿入して圧縮機構２が位置決めされた場合には、インレットチューブ５２が吸入孔５０に圧入されるときに、圧縮機構２に対して組立用位置決めピン６０を中心とする回転方向の力がほとんど作用しない。よって、圧縮機の組み立て時において、インレットチューブ５２を圧入するときに、圧縮機構２が組立用位置決めピン６０の周りを回転するのを抑制できるので、エアギャップが全周において均一にできることから、圧縮機の運転音が大きくなるのを抑制できる。
【００３１】
本実施形態の圧縮機では、円形の孔５６が機械加工または焼結で形成されているので、円形の孔５６を圧縮機の組立工程において組立用位置決め孔として使用した場合に、圧縮機構２を適正に位置決めできる。
【００３２】
本実施形態の圧縮機では、吸入孔５０および円形の孔５６が、いずれもシリンダ本体２１に配置されているので、吸入孔５０と円形の孔５６との高さの差が小さい。したがって、圧縮機の組み立て時において、インレットチューブ５２を圧入するときに、圧縮機構２が高さ方向に傾くのを抑制できる。
【００３３】
本実施形態の圧縮機では、平面視において円形の孔５６の中心が吸入孔５０を延長した領域内に配置されているので、その円形の孔５６を圧縮機の組立工程において組立用位置決め孔として使用した場合に、圧縮機の組み立て時において、インレットチューブ５２を圧入するときに、圧縮機構２が組立用位置決めピンの周りを回転するのを防止できるので、エアギャップが全周において均一にできることから、圧縮機の運転音が大きくなるのを効果的に防止できる。
【００３４】
（第２実施形態）
図６−図８は、この発明の第２実施形態を示している。第１実施形態の圧縮機では、圧縮機構２のシリンダ本体２１の外周面が円筒部材１ａの内周面に溶接によって固定されるのに対し、第２実施形態では、圧縮機構１０２の端面部材１２３の外周面が円筒部材１ａの内周面に溶接によって固定される点で異なっており、それにともなって、円形の孔が配置される部材が異なっている。なお、その他の構成は、第１実施形態と略同一の構成であるため、その説明を省略する。
【００３５】
シリンダ本体１２１は、図７に示すように、圧縮室２２の周囲に配置された円筒部５３を有している。シリンダ本体１２１は、圧縮室２２に連通するとともに水平方向（駆動軸１２と交差する方向）に沿った吸入孔５０を有している。また、円筒部５３の上面は、端面部材１２３が固定される部分であって、端面部材１２３より小さい形状を有している。端面部材１２３は、駆動軸１２の周囲に配置された円筒部１５３と、円筒部１５３の外周面からケーシング１の内周面に向かって延在する支持部１５４とを有している。そして、端面部材１２３は、支持部１５４に配置された円形の孔１５６を有している。円形の孔１５６は、圧縮室２２の径方向外側であって、かつ、シリンダ本体１２１の径方向外側において、駆動軸１２と平行な方向に沿っている。そして、円形の孔１５６は、平面視において円形の孔１５６の中心が吸入孔５０を延長した領域内（図７において、吸入孔５０の端部を延長した二点鎖線の間の領域）に配置されている。図７（ａ）では、平面視において円形の孔１５６の中心が吸入孔５０の中心線上に配置されている。円形の孔１５６は、機械加工または焼結で形成されたものである。そして、図７（ｂ）に示すように、円形の孔５６は、端面部材１２３に配置され、吸入孔５０は、シリンダ本体１２１に配置されている。したがって、圧縮機の高さ方向については、図７（ｂ）に示すように、円形の孔１５６は、吸入孔５０より上方に配置されている。
【００３６】
第２実施形態の圧縮機の組立工程については、第１実施形態の圧縮機の組立工程において、シリンダ本体２１の円形の孔５６に組立用位置決めピン６０が挿入されるのに対し、第２実施形態では、端面部材１２３の円形の孔１５６に組立用位置決めピン６０が挿入される点で異なるとともに、第１実施形態の圧縮機の組立工程において、圧縮機構２のシリンダ本体２１の外周面が円筒部材１ａの内周面に溶接によって固定されるのに対し、第２実施形態では、圧縮機構１０２の端面部材１２３の外周面が円筒部材１ａの内周面に溶接によって固定される点で異なるが、その他は、第１実施形態の圧縮機の組立工程（図３および図４）と同様であるので、その説明は省略する。
【００３７】
そして、圧縮機の組立工程において、端面部材１２３の円形の孔１５６が、組立用位置決め孔として使用される。したがって、組立用位置決めピン６０が端面部材１２３の円形の孔１５６に挿入されており、インレットチューブ５２が吸入孔５０に圧入されるときに、図８に示すように、シリンダ本体１２１に対して組立用位置決めピン６０（円形の孔１５６）に向かう方向の力が作用する。このとき、上記の力が作用する方向に、組立用位置決めピン６０があるので、この組立用位置決めピン６０によって、上記の力によってシリンダ本体１２１（圧縮機構１０２）が移動する（回転移動する）のが防止される。よって、従来の圧縮機の組立工程（図９）のように、シリンダ本体９２１が組立用位置決めピン６０の周りを回転移動して、それにともなって駆動軸１２に取り付けられたロータ６も回転移動してしまうことがない。そのため、ロータ６（シリンダ本体２１）の周方向の一部の方向においてスペーサ６１が押圧されることがないので、エアギャップ（ロータ６の外周面とステータ５の内周面との間のエアギャップ）が全周において均一になる。その状態で、端面部材１２３が円筒部材１ａの内周面に溶接によって固定された後で、スペーサ６１が取り外されたとしても、エアギャップが全周において均一の状態である。
【００３８】
＜本実施形態の圧縮機の特徴＞
本実施形態の圧縮機およびその製造方法では、圧縮機構１０２が円形の孔１５６を有しており、平面視において円形の孔５６の中心が吸入孔５０を延長した領域内に配置されているので、その円形の孔１５６を圧縮機の組立工程において組立用位置決め孔として使用することができる。したがって、圧縮機を組み立てる工程で、円形の孔１５６（組立用位置決め孔）に対して、支持台上に固定された組立用位置決めピン６０を挿入して圧縮機構１０２が位置決めされた場合には、インレットチューブ５２が吸入孔５０に圧入されるときに、圧縮機構１０２に対して組立用位置決めピン６０を中心とする回転方向の力がほとんど作用しない。よって、圧縮機の組み立て時において、インレットチューブ５２を圧入するときに、圧縮機構１０２が組立用位置決めピン６０の周りを回転するのを抑制できるので、エアギャップが全周において均一にできることから、圧縮機の運転音が大きくなるのを抑制できる。
【００３９】
本実施形態の圧縮機では、円形の孔１５６が機械加工または焼結で形成されているので、円形の孔１５６を圧縮機の組立工程において組立用位置決め孔として使用した場合に、圧縮機構１０２を適正に位置決めできる。
【００４０】
本実施形態の圧縮機では、平面視において円形の孔１５６の中心が吸入孔５０を延長した領域内に配置されているので、その円形の孔１５６を圧縮機の組立工程において組立用位置決め孔として使用した場合に、圧縮機の組み立て時において、インレットチューブ５２を圧入するときに、圧縮機構１０２が組立用位置決めピンの周りを回転するのを防止できるので、エアギャップが全周において均一にできることから、圧縮機の運転音が大きくなるのを効果的に防止できる。
【００４１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４２】
上述の実施形態では、平面視において円形の孔の中心が吸入孔の中心線上に配置されている場合を説明したが、平面視において円形の孔の中心が吸入孔を延長した領域内に配置されている場合や、平面視において円形の孔の少なくとも一部が吸入孔を延長した領域内に配置されている場合にも、本発明の効果が得られる。
【００４３】
また、上述の実施形態では、円形の水平断面を有する組立用位置決めピンが円形の孔に挿入されて、円形の孔が組立用位置決め孔として使用される場合について説明したが、これに限定されない。したがって、組立用位置決めピンは、円形の孔に挿入されて圧縮機構を位置決めできるものであれば、円形以外の水平断面を有するものであってもよい。また、円形の孔が組立用位置決め孔として使用されるものであれば、円形の孔の大きさは変更できる。ただし、本発明は、圧縮機構の円形の孔が組立用位置決め孔として使用されて圧縮機構が位置決めされる発明である。したがって、圧縮機構が平面視において吸入孔を延長した領域内に配置された円形以外の孔（例えば楕円の孔）を有しており、その円形以外の孔が組立用位置決め孔として使用されて圧縮機構が位置決めされる場合は、本発明の技術思想と全く異なるものである。
【００４４】
また、上述の実施形態では、円形の孔がシリンダ本体またはシリンダ本体の上方の端面部材に配置される場合を説明したが、円形の孔が、圧縮機構に含まれる他の部材に配置されてもよい。したがって、例えば、円形の孔がシリンダ本体の下方の端面部材に配置されてもよい。また、円形の孔は、必ずしも１つの部材に配置される場合だけでなく、複数の部材に配置されてもよい。そして、本発明は、平面視において円形の孔の少なくとも一部が吸入孔を延長した領域内に配置されている場合に効果が得られるものであって、圧縮機の高さ方向について、円形の孔と吸入孔とが同一の高さに配置されてもよいし、異なる高さに配置されてもよい。
【００４５】
また、上述の実施形態では、円形の孔および吸入孔がいずれもシリンダ本体に配置される場合と、円形の孔がシリンダ本体の上方の端面部材に配置され、吸入孔がシリンダ本体に配置される場合について説明したが、円形の孔および吸入孔が、それぞれ、圧縮機構に含まれる同一の部材に配置されてもよいし、異なる部材に配置されてもよい。
【００４６】
また、上述の実施形態では、吸入孔が圧縮室に連通するとともに水平方向に沿っている場合を説明したが、吸入孔が圧縮室に連通するとともに駆動軸と交差する方向に沿ったものであってもよい。
【００４７】
また、上述の実施形態では、圧縮機構が、ローラと一体に設けたブレードにより圧縮室内の高圧領域と低圧領域が仕切られるように構成されているが、圧縮機の構成は変更してもよい。したがって、圧縮機構が、ローラと別体でバネによりローラに押付けられるベーンにより圧縮室内の高圧領域と低圧領域を仕切られるように構成されていてもよい。
【産業上の利用可能性】
【００４８】
本発明を利用すれば、エアギャップを全周において均一にできる。
【符号の説明】
【００４９】
１  ケーシング
１ａ  円筒部材
２ 圧縮機構
３ 駆動機構
５  ステータ
６  ロータ
１２  駆動軸
２１、１２１、９２１  シリンダ本体
２２  圧縮室
２３、１２３  端面部材
５０  吸入孔
５２  インレットチューブ
５６、１５６、９５６  円形の孔
６０  組立用位置決めピン
６１  スペーサ
【図１】
2015086751.tif 000003
【図２】
2015086751.tif 000004
【図３】
2015086751.tif 000005
【図４】
2015086751.tif 000006
【図５】
2015086751.tif 000007
【図６】
2015086751.tif 000008
【図７】
2015086751.tif 000009
【図８】
2015086751.tif 000010
【図９】
2015086751.tif 000011
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
円筒部材を含むケーシングの内側に配置された圧縮機構および駆動機構を備えた圧縮機であって、
前記駆動機構は、
前記円筒部材の内周面に固定されたステータと、
前記ステータの内側に配置され、駆動軸とともに回転するロータとを有し、
前記圧縮機構は、
前記駆動軸によって駆動されるローラが配置された圧縮室を有するシリンダ本体と、
前記シリンダ本体の端面に取り付けられた端面部材と、
前記端面部材に取り付けられたマフラ本体と、
前記圧縮室に連通するとともに前記駆動軸と交差する方向に沿った吸入孔と、
前記圧縮室の径方向外側において前記駆動軸と平行な方向に沿った円形の孔とを有しており、
前記円形の孔は、前記マフラ本体の外側で且つ前記ケーシングの内部空間に開口するとともに、
平面視において前記円形の孔の少なくとも一部が前記吸入孔を延長した領域内に配置されることを特徴とする圧縮機。
【請求項２】
前記円形の孔は、機械加工または焼結で形成されたものであることを特徴とする請求項１に記載の圧縮機。
【請求項３】
前記吸入孔および前記円形の孔が、同一部材に配置されることを特徴とする請求項１または２に記載の圧縮機。
【請求項４】
平面視において前記円形の孔の中心が前記吸入孔を延長した領域内に配置されることを特徴とする請求項１−３のいずれかに記載の圧縮機。
【請求項５】
駆動軸によって駆動されるローラが配置された圧縮室の径方向外側において前記駆動軸と平行な方向に沿った円形の孔に、支持台上に固定された組立用位置決めピンを挿入して、前記圧縮室を有する圧縮機構を前記支持台上に配置する第１工程と、
前記駆動軸にロータを取り付ける第２工程と、
前記ロータの外周面に対向するようにスペーサを配置する第３工程と、
ステータが固定された円筒部材を、前記ロータの外周面と前記ステータの内周面との間に前記スペーサが配置されるように配置する第４工程と、
前記圧縮機構において前記圧縮室に連通するとともに前記駆動軸と交差する方向に沿った吸入孔に、前記円筒部材の外側からインレットチューブを圧入する第５工程とを備え、
平面視において前記円形の孔の少なくとも一部が前記吸入孔を延長した領域内に配置されることを特徴とする圧縮機の製造方法。
【手続補正２】
【補正対象書類名】明細書
【補正対象項目名】全文
【補正方法】変更
【補正の内容】
【発明の詳細な説明】
【技術分野】
【０００１】
本発明は、例えば空気調和機等に使用されるロータリ圧縮機等の圧縮機およびその製造方法に関する。
【背景技術】
【０００２】
圧縮機は、ケーシング内に配置された圧縮機構および駆動機構を備えるものが一般的である。そして、圧縮機構が、圧縮室を有するシリンダと、シリンダの両端面にそれぞれ配置された端面部材とを有しており、圧縮室内には、駆動軸によって駆動されるローラが配置されている。駆動機構は、ケーシングの内周面に固定されたステータと、ステータの内側に配置され、駆動軸とともに回転するロータとを有している。そして、圧縮機構は、圧縮室に連通する吸入孔を有しており、吸入孔には、冷媒を圧縮室に供給するためのインレットチューブが圧入されている。
【０００３】
上記の圧縮機を組み立てる工程では、駆動軸を有する圧縮機構が支持台上に配置される。このとき、シリンダ（圧縮機構）が組立用位置決め孔を有しており、その組立用位置決め孔に、支持台上に固定された組立用位置決めピンが挿入されて位置決めされる。その後、ロータが駆動軸に取り付けられ、ロータの外周面に対向するようにスペーサが配置される。そして、ステータが内周面に固定された円筒部材（ケーシングの一部）が、ロータの外周面とステータの内周面との間にスペーサが配置されるように、圧縮機構の外周側に配置される。そして、円筒部材の外側からインレットチューブが吸入孔に圧入された後、圧縮機構が円筒部材の内周面に溶接によって固定される。
【先行技術文献】
【特許文献】
【０００４】
【特許文献１】特開２０１０−１５０９７３
【発明の概要】
【発明が解決しようとする課題】
【０００５】
圧縮機の組立工程において、支持台上に固定された組立用位置決めピンがシリンダ（圧縮機構）の組立用位置決め孔に挿入されて位置決めされるが、図９に示すように、組立用位置決め孔が、インレットチューブの圧入方向と異なる位置に配置される場合がある。この場合において、インレットチューブがシリンダ９２１の吸入孔９５０に圧入されるときに、シリンダ９２１に対して、円形の孔９５６に挿入された組立用位置決めピン６０を中心とする回転方向の力が作用する。したがって、シリンダ９２１が組立用位置決めピン６０の周りを回転移動して、それにともなって駆動軸に取り付けられたロータも回転移動してしまう。そのため、ロータが回転した方向にスペーサが押圧されるので、その部分のエアギャップ（ロータの外周面とステータの内周面との間のエアギャップ）が狭くなる。その状態で、シリンダ９２１が円筒部材の内周面に溶接によって固定された後で、スペーサが取り外されると、エアギャップが全周において均一でないことから、圧縮機の運転音が大きくなるという問題がある。
【０００６】
そこで、本発明の目的は、エアギャップを全周において均一にできる圧縮機およびその製造方法を提供することである。
【課題を解決するための手段】
【０００７】
第１の発明にかかる圧縮機は、円筒部材を含むケーシングの内側に配置された圧縮機構および駆動機構を備えた圧縮機であって、前記駆動機構は、前記円筒部材の内周面に固定されたステータと、前記ステータの内側に配置され、駆動軸とともに回転するロータとを有し、前記圧縮機構は、前記駆動軸によって駆動されるローラが配置された圧縮室を有するシリンダ本体と、前記シリンダ本体の端面に取り付けられた端面部材と、前記端面部材に取り付けられたマフラ本体と、前記圧縮室に連通するとともに前記駆動軸と交差する方向に沿った吸入孔と、前記圧縮室の径方向外側において前記駆動軸と平行な方向に沿った円形の孔とを有しており、前記円形の孔は、前記マフラ本体の外側で且つ前記ケーシングの内部空間に開口するとともに、平面視において前記円形の孔の少なくとも一部が前記吸入孔を延長した領域内に配置されることを特徴とする。
【０００８】
第５の発明にかかる圧縮機の製造方法は、駆動軸によって駆動されるローラが配置された圧縮室の径方向外側において前記駆動軸と平行な方向に沿った円形の孔に、支持台上に固定された組立用位置決めピンを挿入して、前記圧縮室を有する圧縮機構を前記支持台上に配置する第１工程と、前記駆動軸にロータを取り付ける第２工程と、前記ロータの外周面に対向するようにスペーサを配置する第３工程と、ステータが固定された円筒部材を、前記ロータの外周面と前記ステータの内周面との間に前記スペーサが配置されるように配置する第４工程と、前記圧縮機構において前記圧縮室に連通するとともに前記駆動軸と交差する方向に沿った吸入孔に、前記円筒部材の外側からインレットチューブを圧入する第５工程とを備え、平面視において前記円形の孔の少なくとも一部が前記吸入孔を延長した領域内に配置されることを特徴とする。
【０００９】
この圧縮機およびその製造方法では、圧縮機構が円形の孔を有しており、平面視において円形の孔の少なくとも一部が吸入孔を延長した領域内に配置されているので、その円形の孔を圧縮機の組立工程において組立用位置決め孔として使用することができる。したがって、圧縮機を組み立てる工程で、円形の孔（組立用位置決め孔）に対して、支持台上に固定された組立用位置決めピンを挿入して圧縮機構が位置決めされた場合には、インレットチューブが吸入孔に圧入されるときに、圧縮機構に対して組立用位置決め孔を中心とする回転方向の力がほとんど作用しない。よって、圧縮機の組み立て時において、インレットチューブを圧入するときに、圧縮機構が組立用位置決めピンの周りを回転するのを抑制できるので、エアギャップが全周において均一にできることから、圧縮機の運転音が大きくなるのを抑制できる。
【００１０】
第２の発明にかかる圧縮機は、第１の発明にかかる圧縮機において、前記円形の孔が、機械加工または焼結で形成されたものであることを特徴とする。
【００１１】
この圧縮機では、円形の孔が機械加工または焼結で形成されているので、内径寸法にバラつきが生じにくいことから、円形の孔を圧縮機の組立工程において組立用位置決め孔として使用した場合に、圧縮機構を適正に位置決めできる。
【００１２】
第３の発明にかかる圧縮機は、第１または第２の発明にかかる圧縮機において、前記吸入孔および前記円形の孔が、同一部材に配置されることを特徴とする。
【００１３】
この圧縮機では、吸入孔および円形の孔が同一部材に配置されているので、吸入孔と円形の孔との高さの差が小さい（吸入孔と円形の孔が略同一の高さに配置される場合を含む）。したがって、圧縮機の組み立て時において、インレットチューブを圧入するときに、圧縮機構が高さ方向に傾くのを抑制できる。
【００１４】
第４の発明にかかる圧縮機は、第１−第３のいずれかの発明にかかる圧縮機において、平面視において前記円形の孔の中心が前記吸入孔を延長した領域内に配置されることを特徴とする。
【００１５】
この圧縮機では、平面視において円形の孔の中心が吸入孔を延長した領域内に配置されているので、その円形の孔を圧縮機の組立工程において組立用位置決め孔として使用した場合に、圧縮機の組み立て時において、インレットチューブを圧入するときに、圧縮機構が組立用位置決めピンの周りを回転するのを防止できるので、エアギャップが全周において均一にできることから、圧縮機の運転音が大きくなるのを効果的に防止できる。
【発明の効果】
【００１６】
以上の説明に述べたように、本発明によれば、以下の効果が得られる。
【００１７】
第１および第５の発明では、圧縮機構が円形の孔を有しており、平面視において円形の孔の少なくとも一部が吸入孔を延長した領域内に配置されているので、その円形の孔を圧縮機の組立工程において組立用位置決め孔として使用することができる。したがって、圧縮機を組み立てる工程で、円形の孔（組立用位置決め孔）に対して、支持台上に固定された組立用位置決めピンを挿入して圧縮機構が位置決めされた場合には、インレットチューブが吸入孔に圧入されるときに、圧縮機構に対して組立用位置決め孔を中心とする回転方向の力がほとんど作用しない。よって、圧縮機の組み立て時において、インレットチューブを圧入するときに、圧縮機構が組立用位置決めピンの周りを回転するのを抑制できるので、エアギャップが全周において均一にできることから、圧縮機の運転音が大きくなるのを抑制できる。
【００１８】
第２の発明では、円形の孔が機械加工または焼結で形成されているので、内径寸法にバラつきが生じにくいことから、円形の孔を圧縮機の組立工程において組立用位置決め孔として使用した場合に、圧縮機構を適正に位置決めできる。
【００１９】
第３の発明では、吸入孔および円形の孔が同一部材に配置されているので、吸入孔と円形の孔との高さの差が小さい（吸入孔と円形の孔が略同一の高さに配置される場合を含む）。したがって、圧縮機の組み立て時において、インレットチューブを圧入するときに、圧縮機構が高さ方向に傾くのを抑制できる。
【００２０】
第４の発明では、平面視において円形の孔の中心が吸入孔を延長した領域内に配置されているので、その円形の孔を圧縮機の組立工程において組立用位置決め孔として使用した場合に、圧縮機の組み立て時において、インレットチューブを圧入するときに、圧縮機構が組立用位置決めピンの周りを回転するのを防止できるので、エアギャップが全周において均一にできることから、圧縮機の運転音が大きくなるのを効果的に防止できる。
【図面の簡単な説明】
【００２１】
【図１】本発明の第１実施形態に係る圧縮機の断面図である。
【図２】図２（ａ）は、図１の圧縮機のシリンダ本体の平面図であって、図２（ｂ）は、シリンダ本体の断面図である。
【図３】図１の圧縮機の組立工程を示す図である。
【図４】図１の圧縮機の組立工程を示す図である。
【図５】本発明の圧縮機のシリンダ本体に対してインレットチューブが圧入されるときの状態を示す図である。
【図６】本発明の第２実施形態に係る圧縮機の断面図である。
【図７】図７（ａ）は、図６の圧縮機の端面部材およびシリンダ本体の平面図であって、図７（ｂ）は、端面部材およびシリンダ本体の断面図である。
【図８】図７のシリンダ本体に対してインレットチューブが圧入されるときの状態を示す図である。
【図９】従来の圧縮機のシリンダ本体に対してインレットチューブが圧入されるときの状態を示す図である。
【発明を実施するための形態】
【００２２】
以下、この発明を図示の実施の形態により詳細に説明する。
【００２３】
（第１実施形態）
図１は、この発明の圧縮機の一実施形態である断面図を示している。この圧縮機は、いわゆる高圧ドーム型のロータリ圧縮機であって、ケーシング１内に圧縮機構２を下に、モータ３を上に配置している。このモータ３のロータ６によって、駆動軸１２を介して圧縮機構２を駆動するようにしている。
【００２４】
圧縮機構２は、アキュムレータから吸入管１１を通して冷媒を吸入する。この吸入される冷媒は、圧縮機とともに、冷凍システムの一例としての空気調和機を構成する図示しない凝縮器、膨張機構、蒸発器を制御することによって得られる。吸入管１１は、ケーシング１の外周面に配置された継手管１０内において、シリンダ本体２１の吸入孔５０に圧入されたインレットチューブ５２に対してロウ付けによって固定されている。
【００２５】
圧縮機は、圧縮した高温高圧の吐出ガスを、圧縮機構２から吐出してケーシング１の内部に満たすと共に、モータ３のステータ５とロータ６との間の隙間を通して、モータ３を冷却した後、吐出管１３から外部に吐出するようにしている。ケーシング１内の高圧領域の下部に、潤滑油９を溜めている。
【００２６】
図１と図２に示すように、圧縮機構２は、シリンダ室２２を形成するシリンダ本体２１と、このシリンダ本体２１の上下端面に取り付けられて圧縮室（シリンダ室）２２に蓋をする上側の端面部材２３および下側の端面部材２４とを備える。駆動軸１２は、上側の端面部材２３および下側の端面部材２４を貫通して、圧縮室２２の内部に進入している。圧縮室２２には、駆動軸１２に設けられたクランクピン２６に嵌合したローラ２７を、公転可能に配置し、このローラ２７の公転運動で圧縮作用を行うようにしている。圧縮室２２は、ローラ２７に一体に設けたブレードで高圧領域と低圧領域を仕切るように構成されており、ブレードの両面には半円形状のブッシュが密着して、シールを行っている。したがって、シリンダ本体２１は、圧縮室２２の外側において圧縮室２２と連通した収容孔２２ａを有しており、その収容孔２２ａに、ブレードおよびブッシュが配置される。
【００２７】
シリンダ本体２１は、図２に示すように、圧縮室２２の周囲に配置された円筒部５３と、円筒部５３の外周面からケーシング１の内周面に向かって延在する支持部５４とを有している。シリンダ本体２１は、圧縮室２２に連通するとともに水平方向（駆動軸１２と交差する方向）に沿った吸入孔５０を有している。また、円筒部５３の上面は、端面部材２３が固定される部分であって、端面部材２３と略同一形状を有している。そして、シリンダ本体２１は、支持部５４において円筒部５３の外側に対応した部分に配置された円形の孔５６を有している。円形の孔５６は、圧縮室２２の径方向外側であって、かつ、端面部材２３の径方向外側において、駆動軸１２と平行な方向に沿っている。そして、円形の孔５６は、平面視において円形の孔５６の中心が吸入孔５０を延長した領域内（図２において、吸入孔５０の端部を延長した二点鎖線の間の領域）に配置されている。図２（ａ）では、平面視において円形の孔５６の中心が吸入孔５０の中心線上に配置されている。円形の孔５６は、機械加工または焼結で形成されたものである。また、図２（ｂ）に示すように、支持部５４において円形の孔５６が配置された部分は、下方に開口するように凹形状に構成されており、円形の孔５６は、支持部５４の上端部の薄肉部に配置されている。したがって、円形の孔５６および吸入孔５０は、いずれもシリンダ本体２１に配置されているが、圧縮機の高さ方向については、図２（ｂ）に示すように、円形の孔５６は、吸入孔５０より上方に配置されている。
【００２８】
圧縮機の組立工程について、図３および図４に基づいて説明する。まず、図３（ａ）に示すように、駆動軸１２を有する圧縮機構２が支持台上に配置される。このとき、シリンダ本体２１の円形の孔５６に、支持台上に固定された組立用位置決めピン６０が挿入されて、圧縮機構２が支持台上に位置決めされる。したがって、組立用位置決めピン６０は、円形の水平断面を有しており、その水平断面は円形の孔５６と略同一の大きさに構成されている。圧縮機構２は、シリンダ本体２１、端面部材２３、２４、駆動軸１２およびマフラ本体４０等の部材で構成されるが、図３および図４では、一部の部材の図示を省略する。また、モータ３を構成するステータ５には銅線が巻かれ、それにケーシング外部から通電されることにより、磁石を有するロータ６を駆動させるが、一部の部材および配線の図示を省略する。そして、図３（ｂ）に示すように、駆動軸１２に対してロータ６が取り付けられた後、図３（ｃ）に示すように、ロータ６の外周面に対向するようにスペーサ６１が配置される。このとき、スペーサ６１は、ロータ６の全周にわたって外周面に対向するように配置される。その後、図４（ａ）および図４（ｂ）に示すように、ロータ６の外周面とステータ５の内周面との間にスペーサ６１が配置されるように、ステータ５が内周面に固定された円筒部材１ａ（ケーシング１の一部）が圧縮機構２の外側に配置される。このとき、円筒部材１ａの外周面に配置された継手管１０が、シリンダ本体２１の吸入孔５０に対向している。そして、図４（ｃ）に示すように、円筒部材１ａの外側からインレットチューブ５２が吸入孔５０に圧入された後、シリンダ本体２１の外周面が円筒部材１ａの内周面に溶接によって固定される。
【００２９】
そして、圧縮機の組立工程において、シリンダ本体２１の円形の孔５６が、組立用位置決め孔として使用される。したがって、組立用位置決めピン６０がシリンダ本体２１の円形の孔５６に挿入されており、インレットチューブ５２が吸入孔５０に圧入されるときに、図５に示すように、シリンダ本体２１に対して組立用位置決めピン６０（円形の孔５６）に向かう方向の力が作用する。このとき、上記の力が作用する方向に、組立用位置決めピン６０があるので、この組立用位置決めピン６０によって、上記の力によってシリンダ本体２１（圧縮機構２）が移動する（回転移動する）のが防止される。よって、従来の圧縮機の組立工程（図９）のように、シリンダ本体９２１が組立用位置決めピン６０の周りを回転移動して、それにともなって駆動軸１２に取り付けられたロータ６も回転移動してしまうことがない。そのため、ロータ６（シリンダ本体２１）の周方向の一部の方向においてスペーサ６１が押圧されることがないので、エアギャップ（ロータ６の外周面とステータ５の内周面との間のエアギャップ）が全周において均一になる。その状態で、シリンダ本体２１が円筒部材１ａの内周面に溶接によって固定された後で、スペーサ６１が取り外されたとしても、エアギャップが全周において均一の状態である。
【００３０】
＜本実施形態の圧縮機の特徴＞
本実施形態の圧縮機およびその製造方法では、圧縮機構２が円形の孔５６を有しており、平面視において円形の孔５６の中心が吸入孔５０を延長した領域内に配置されているので、その円形の孔５６を圧縮機の組立工程において組立用位置決め孔として使用することができる。したがって、圧縮機を組み立てる工程で、円形の孔５６（組立用位置決め孔）に対して、支持台上に固定された組立用位置決めピン６０を挿入して圧縮機構２が位置決めされた場合には、インレットチューブ５２が吸入孔５０に圧入されるときに、圧縮機構２に対して組立用位置決めピン６０を中心とする回転方向の力がほとんど作用しない。よって、圧縮機の組み立て時において、インレットチューブ５２を圧入するときに、圧縮機構２が組立用位置決めピン６０の周りを回転するのを抑制できるので、エアギャップが全周において均一にできることから、圧縮機の運転音が大きくなるのを抑制できる。
【００３１】
本実施形態の圧縮機では、円形の孔５６が機械加工または焼結で形成されているので、円形の孔５６を圧縮機の組立工程において組立用位置決め孔として使用した場合に、圧縮機構２を適正に位置決めできる。
【００３２】
本実施形態の圧縮機では、吸入孔５０および円形の孔５６が、いずれもシリンダ本体２１に配置されているので、吸入孔５０と円形の孔５６との高さの差が小さい。したがって、圧縮機の組み立て時において、インレットチューブ５２を圧入するときに、圧縮機構２が高さ方向に傾くのを抑制できる。
【００３３】
本実施形態の圧縮機では、平面視において円形の孔５６の中心が吸入孔５０を延長した領域内に配置されているので、その円形の孔５６を圧縮機の組立工程において組立用位置決め孔として使用した場合に、圧縮機の組み立て時において、インレットチューブ５２を圧入するときに、圧縮機構２が組立用位置決めピンの周りを回転するのを防止できるので、エアギャップが全周において均一にできることから、圧縮機の運転音が大きくなるのを効果的に防止できる。
【００３４】
（第２実施形態）
図６−図８は、この発明の第２実施形態を示している。第１実施形態の圧縮機では、圧縮機構２のシリンダ本体２１の外周面が円筒部材１ａの内周面に溶接によって固定されるのに対し、第２実施形態では、圧縮機構１０２の端面部材１２３の外周面が円筒部材１ａの内周面に溶接によって固定される点で異なっており、それにともなって、円形の孔が配置される部材が異なっている。なお、その他の構成は、第１実施形態と略同一の構成であるため、その説明を省略する。
【００３５】
シリンダ本体１２１は、図７に示すように、圧縮室２２の周囲に配置された円筒部５３を有している。シリンダ本体１２１は、圧縮室２２に連通するとともに水平方向（駆動軸１２と交差する方向）に沿った吸入孔５０を有している。また、円筒部５３の上面は、端面部材１２３が固定される部分であって、端面部材１２３より小さい形状を有している。端面部材１２３は、駆動軸１２の周囲に配置された円筒部１５３と、円筒部１５３の外周面からケーシング１の内周面に向かって延在する支持部１５４とを有している。そして、端面部材１２３は、支持部１５４に配置された円形の孔１５６を有している。円形の孔１５６は、圧縮室２２の径方向外側であって、かつ、シリンダ本体１２１の径方向外側において、駆動軸１２と平行な方向に沿っている。そして、円形の孔１５６は、平面視において円形の孔１５６の中心が吸入孔５０を延長した領域内（図７において、吸入孔５０の端部を延長した二点鎖線の間の領域）に配置されている。図７（ａ）では、平面視において円形の孔１５６の中心が吸入孔５０の中心線上に配置されている。円形の孔１５６は、機械加工または焼結で形成されたものである。そして、図７（ｂ）に示すように、円形の孔５６は、端面部材１２３に配置され、吸入孔５０は、シリンダ本体１２１に配置されている。したがって、圧縮機の高さ方向については、図７（ｂ）に示すように、円形の孔１５６は、吸入孔５０より上方に配置されている。
【００３６】
第２実施形態の圧縮機の組立工程については、第１実施形態の圧縮機の組立工程において、シリンダ本体２１の円形の孔５６に組立用位置決めピン６０が挿入されるのに対し、第２実施形態では、端面部材１２３の円形の孔１５６に組立用位置決めピン６０が挿入される点で異なるとともに、第１実施形態の圧縮機の組立工程において、圧縮機構２のシリンダ本体２１の外周面が円筒部材１ａの内周面に溶接によって固定されるのに対し、第２実施形態では、圧縮機構１０２の端面部材１２３の外周面が円筒部材１ａの内周面に溶接によって固定される点で異なるが、その他は、第１実施形態の圧縮機の組立工程（図３および図４）と同様であるので、その説明は省略する。
【００３７】
そして、圧縮機の組立工程において、端面部材１２３の円形の孔１５６が、組立用位置決め孔として使用される。したがって、組立用位置決めピン６０が端面部材１２３の円形の孔１５６に挿入されており、インレットチューブ５２が吸入孔５０に圧入されるときに、図８に示すように、シリンダ本体１２１に対して組立用位置決めピン６０（円形の孔１５６）に向かう方向の力が作用する。このとき、上記の力が作用する方向に、組立用位置決めピン６０があるので、この組立用位置決めピン６０によって、上記の力によってシリンダ本体１２１（圧縮機構１０２）が移動する（回転移動する）のが防止される。よって、従来の圧縮機の組立工程（図９）のように、シリンダ本体９２１が組立用位置決めピン６０の周りを回転移動して、それにともなって駆動軸１２に取り付けられたロータ６も回転移動してしまうことがない。そのため、ロータ６（シリンダ本体２１）の周方向の一部の方向においてスペーサ６１が押圧されることがないので、エアギャップ（ロータ６の外周面とステータ５の内周面との間のエアギャップ）が全周において均一になる。その状態で、端面部材１２３が円筒部材１ａの内周面に溶接によって固定された後で、スペーサ６１が取り外されたとしても、エアギャップが全周において均一の状態である。
【００３８】
＜本実施形態の圧縮機の特徴＞
本実施形態の圧縮機およびその製造方法では、圧縮機構１０２が円形の孔１５６を有しており、平面視において円形の孔５６の中心が吸入孔５０を延長した領域内に配置されているので、その円形の孔１５６を圧縮機の組立工程において組立用位置決め孔として使用することができる。したがって、圧縮機を組み立てる工程で、円形の孔１５６（組立用位置決め孔）に対して、支持台上に固定された組立用位置決めピン６０を挿入して圧縮機構１０２が位置決めされた場合には、インレットチューブ５２が吸入孔５０に圧入されるときに、圧縮機構１０２に対して組立用位置決めピン６０を中心とする回転方向の力がほとんど作用しない。よって、圧縮機の組み立て時において、インレットチューブ５２を圧入するときに、圧縮機構１０２が組立用位置決めピン６０の周りを回転するのを抑制できるので、エアギャップが全周において均一にできることから、圧縮機の運転音が大きくなるのを抑制できる。
【００３９】
本実施形態の圧縮機では、円形の孔１５６が機械加工または焼結で形成されているので、円形の孔１５６を圧縮機の組立工程において組立用位置決め孔として使用した場合に、圧縮機構１０２を適正に位置決めできる。
【００４０】
本実施形態の圧縮機では、平面視において円形の孔１５６の中心が吸入孔５０を延長した領域内に配置されているので、その円形の孔１５６を圧縮機の組立工程において組立用位置決め孔として使用した場合に、圧縮機の組み立て時において、インレットチューブ５２を圧入するときに、圧縮機構１０２が組立用位置決めピンの周りを回転するのを防止できるので、エアギャップが全周において均一にできることから、圧縮機の運転音が大きくなるのを効果的に防止できる。
【００４１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４２】
上述の実施形態では、平面視において円形の孔の中心が吸入孔の中心線上に配置されている場合を説明したが、平面視において円形の孔の中心が吸入孔を延長した領域内に配置されている場合や、平面視において円形の孔の少なくとも一部が吸入孔を延長した領域内に配置されている場合にも、本発明の効果が得られる。
【００４３】
また、上述の実施形態では、円形の水平断面を有する組立用位置決めピンが円形の孔に挿入されて、円形の孔が組立用位置決め孔として使用される場合について説明したが、これに限定されない。したがって、組立用位置決めピンは、円形の孔に挿入されて圧縮機構を位置決めできるものであれば、円形以外の水平断面を有するものであってもよい。また、円形の孔が組立用位置決め孔として使用されるものであれば、円形の孔の大きさは変更できる。ただし、本発明は、圧縮機構の円形の孔が組立用位置決め孔として使用されて圧縮機構が位置決めされる発明である。したがって、圧縮機構が平面視において吸入孔を延長した領域内に配置された円形以外の孔（例えば楕円の孔）を有しており、その円形以外の孔が組立用位置決め孔として使用されて圧縮機構が位置決めされる場合は、本発明の技術思想と全く異なるものである。
【００４４】
また、上述の実施形態では、円形の孔がシリンダ本体またはシリンダ本体の上方の端面部材に配置される場合を説明したが、円形の孔が、圧縮機構に含まれる他の部材に配置されてもよい。したがって、例えば、円形の孔がシリンダ本体の下方の端面部材に配置されてもよい。また、円形の孔は、必ずしも１つの部材に配置される場合だけでなく、複数の部材に配置されてもよい。そして、本発明は、平面視において円形の孔の少なくとも一部が吸入孔を延長した領域内に配置されている場合に効果が得られるものであって、圧縮機の高さ方向について、円形の孔と吸入孔とが同一の高さに配置されてもよいし、異なる高さに配置されてもよい。
【００４５】
また、上述の実施形態では、円形の孔および吸入孔がいずれもシリンダ本体に配置される場合と、円形の孔がシリンダ本体の上方の端面部材に配置され、吸入孔がシリンダ本体に配置される場合について説明したが、円形の孔および吸入孔が、それぞれ、圧縮機構に含まれる同一の部材に配置されてもよいし、異なる部材に配置されてもよい。
【００４６】
また、上述の実施形態では、吸入孔が圧縮室に連通するとともに水平方向に沿っている場合を説明したが、吸入孔が圧縮室に連通するとともに駆動軸と交差する方向に沿ったものであってもよい。
【００４７】
また、上述の実施形態では、圧縮機構が、ローラと一体に設けたブレードにより圧縮室内の高圧領域と低圧領域が仕切られるように構成されているが、圧縮機の構成は変更してもよい。したがって、圧縮機構が、ローラと別体でバネによりローラに押付けられるベーンにより圧縮室内の高圧領域と低圧領域を仕切られるように構成されていてもよい。
【産業上の利用可能性】
【００４８】
本発明を利用すれば、エアギャップを全周において均一にできる。
【符号の説明】
【００４９】
１  ケーシング
１ａ  円筒部材
２ 圧縮機構
３ 駆動機構
５  ステータ
６  ロータ
１２  駆動軸
２１、１２１、９２１  シリンダ本体
２２  圧縮室
２３、１２３  端面部材
５０  吸入孔
５２  インレットチューブ
５６、１５６、９５６  円形の孔
６０  組立用位置決めピン
６１  スペーサ